【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
遊技者による操作対象とされる操作手段と、
判定を行う判定手段と、
前記判定手段による判定にて所定の結果が得られたことに基づいて遊技者に特典を付与しうる特典付与手段と、
前記操作手段に対する操作受付が許容される受付許容状態を発生可能であり、該受付許容状態において前記操作手段に対する操作受付がなされるとこれに応じた受付後演出を発生可能な受付許容状態実行手段と、
前記受付許容状態が発生するよりも前に前演出表示を実行可能な前演出表示手段と、
前記操作手段を摸した摸画像表示を行う摸画像表示手段と
を備え、
前記受付許容状態の種別として、特定受付許容状態及び特別受付許容状態が少なくとも用意されており、前記特定受付許容状態において前記操作手段に対する操作受付がなされたときと、前記特別受付許容状態において前記操作手段に対する操作受付がなされたときとでは前記受付後演出として互いに異なる演出が実行されるようになっており、
前記前演出表示の種別として、特定前演出表示及び特別前演出表示が少なくとも用意されており、前記特定前演出表示は、前記特定受付許容状態が発生するときにその発生タイミングを跨るかたちで実行可能とされ、前記特別前演出表示は、前記特別受付許容状態が発生するときにその発生タイミングを跨るかたちで実行可能とされ、
前記特定受付許容状態では、前記操作手段に対する操作受付がなされない場合であっても、該操作受付がなされたときと同じ受付後演出を発生させるようになっており、
前記特別受付許容状態では、前記操作手段に対する操作受付がなされない場合は、該操作受付がなされたときと同じ受付後演出を発生させないようになっており、
前記特定受付許容状態において前記特定前演出表示が表示されているなかで前記操作手段に対する操作受付がなされた場合と、前記特別受付許容状態において前記特別前演出表示が表示されているなかで前記操作手段に対する操作受付がなされた場合とのいずれの場合であっても、前記受付後演出が実行開始される時点において当該受付許容状態に対応する前演出表示は非表示の状態ではなく表示状態にあるようになっており、
さらに、
前記摸画像表示を表示するときの態様として第１態様及び第２態様が少なくとも用意されており、
前記操作手段に対する操作受付が許容されているときに前記摸画像表示が前記第１態様で表示されている場合は、前記操作受付がなされないときに該操作受付がなされたときと同じ受付後演出を発生させる受付許容状態が発生している状況下にあり、
前記操作手段に対する操作受付が許容されているときに前記摸画像表示が前記第２態様で表示されている場合は、前記操作受付がなされないときに該操作受付がなされたときと同じ受付後演出を発生させる受付許容状態が発生している状況下にある場合と前記操作受付がなされないときに該操作受付がなされたときと同じ受付後演出を発生させない受付許容状態が発生している状況下にある場合との両方があるようになっており、
さらに、
前記受付許容状態が発生する場合、前記操作受付が許容される状態になったこと、または前記操作受付が許容される状態になることを示唆する受付許容音が出力可能とされ、
前記操作手段に対する操作受付が許容されているときに前記受付許容音が特別態様で出力されている場合は、前記操作受付がなされないときに該操作受付がなされたときと同じ受付後演出を発生させる受付許容状態が発生している状況下にあり、
前記操作手段に対する操作受付が許容されているときに前記受付許容音が前記特別態様とは異なる所定態様で出力されている場合は、前記操作受付がなされないときに該操作受付がなされたときと同じ受付後演出を発生させる受付許容状態が発生している状況下にある場合と前記操作受付がなされないときに該操作受付がなされたときと同じ受付後演出を発生させない受付許容状態が発生している状況下にある場合との両方があるようになっており
さらに、
前記操作手段は、少なくとも第１態様及び第２態様を含む複数態様のいずれかで発光可能であり、
前記操作手段に対する操作受付が許容されているときに前記操作手段が前記第１態様で発光している場合は、前記操作受付がなされないときに該操作受付がなされたときと同じ受付後演出を発生させる受付許容状態が発生している状況下にあり、
前記操作手段に対する操作受付が許容されているときに前記操作手段が前記第２態様で発光している場合は、前記操作受付がなされないときに該操作受付がなされたときと同じ受付後演出を発生させる受付許容状態が発生している状況下にある場合と前記操作受付がなされないときに該操作受付がなされたときと同じ受付後演出を発生させない受付許容状態が発生している状況下にある場合との両方がある
ことを特徴とする遊技機。
【手続補正２】
【補正対象書類名】明細書
【補正対象項目名】０００７
【補正方法】変更
【補正の内容】
【０００７】
手段１：遊技者による操作対象とされる操作手段と、
判定を行う判定手段と、
前記判定手段による判定にて所定の結果が得られたことに基づいて遊技者に特典を付与しうる特典付与手段と、
前記操作手段に対する操作受付が許容される受付許容状態を発生可能であり、該受付許容状態において前記操作手段に対する操作受付がなされるとこれに応じた受付後演出を発生可能な受付許容状態実行手段と、
前記受付許容状態が発生するよりも前に前演出表示を実行可能な前演出表示手段と、
前記操作手段を摸した摸画像表示を行う摸画像表示手段と
を備え、
前記受付許容状態の種別として、特定受付許容状態及び特別受付許容状態が少なくとも用意されており、前記特定受付許容状態において前記操作手段に対する操作受付がなされたときと、前記特別受付許容状態において前記操作手段に対する操作受付がなされたときとでは前記受付後演出として互いに異なる演出が実行されるようになっており、
前記前演出表示の種別として、特定前演出表示及び特別前演出表示が少なくとも用意されており、前記特定前演出表示は、前記特定受付許容状態が発生するときにその発生タイミングを跨るかたちで実行可能とされ、前記特別前演出表示は、前記特別受付許容状態が発生するときにその発生タイミングを跨るかたちで実行可能とされ、
前記特定受付許容状態では、前記操作手段に対する操作受付がなされない場合であっても、該操作受付がなされたときと同じ受付後演出を発生させるようになっており、
前記特別受付許容状態では、前記操作手段に対する操作受付がなされない場合は、該操作受付がなされたときと同じ受付後演出を発生させないようになっており、
前記特定受付許容状態において前記特定前演出表示が表示されているなかで前記操作手段に対する操作受付がなされた場合と、前記特別受付許容状態において前記特別前演出表示が表示されているなかで前記操作手段に対する操作受付がなされた場合とのいずれの場合であっても、前記受付後演出が実行開始される時点において当該受付許容状態に対応する前演出表示は非表示の状態ではなく表示状態にあるようになっており、
さらに、
前記摸画像表示を表示するときの態様として第１態様及び第２態様が少なくとも用意されており、
前記操作手段に対する操作受付が許容されているときに前記摸画像表示が前記第１態様で表示されている場合は、前記操作受付がなされないときに該操作受付がなされたときと同じ受付後演出を発生させる受付許容状態が発生している状況下にあり、
前記操作手段に対する操作受付が許容されているときに前記摸画像表示が前記第２態様で表示されている場合は、前記操作受付がなされないときに該操作受付がなされたときと同じ受付後演出を発生させる受付許容状態が発生している状況下にある場合と前記操作受付がなされないときに該操作受付がなされたときと同じ受付後演出を発生させない受付許容状態が発生している状況下にある場合との両方があるようになっており、
さらに、
前記受付許容状態が発生する場合、前記操作受付が許容される状態になったこと、または前記操作受付が許容される状態になることを示唆する受付許容音が出力可能とされ、
前記操作手段に対する操作受付が許容されているときに前記受付許容音が特別態様で出力されている場合は、前記操作受付がなされないときに該操作受付がなされたときと同じ受付後演出を発生させる受付許容状態が発生している状況下にあり、
前記操作手段に対する操作受付が許容されているときに前記受付許容音が前記特別態様とは異なる所定態様で出力されている場合は、前記操作受付がなされないときに該操作受付がなされたときと同じ受付後演出を発生させる受付許容状態が発生している状況下にある場合と前記操作受付がなされないときに該操作受付がなされたときと同じ受付後演出を発生させない受付許容状態が発生している状況下にある場合との両方があるようになっており
さらに、
前記操作手段は、少なくとも第１態様及び第２態様を含む複数態様のいずれかで発光可能であり、
前記操作手段に対する操作受付が許容されているときに前記操作手段が前記第１態様で発光している場合は、前記操作受付がなされないときに該操作受付がなされたときと同じ受付後演出を発生させる受付許容状態が発生している状況下にあり、
前記操作手段に対する操作受付が許容されているときに前記操作手段が前記第２態様で発光している場合は、前記操作受付がなされないときに該操作受付がなされたときと同じ受付後演出を発生させる受付許容状態が発生している状況下にある場合と前記操作受付がなされないときに該操作受付がなされたときと同じ受付後演出を発生させない受付許容状態が発生している状況下にある場合との両方がある
ことを特徴とする遊技機。